(57)【要約】【課題】非接触情報記憶媒体に対応したリーダライタを内蔵し、デザイン性に優れ、照明付き故に通行人等にインセンティブを与えることのできる広告効果の高い照明付きの広告パネルを提供する。【解決手段】広告パネル１は、広告媒体２を背面から照明する照明装置３を、広告媒体２の背面に設ける一方で、照明装置３の背面側に、非接触情報記憶媒体に対応したリーダライタ４を設けたことを特徴とする。【選択図】図１
2010140053.tif 000002
【特許請求の範囲】
【請求項１】
広告媒体側に向かって面状に発光する面発光光源によって前記広告媒体を背面から照明する照明装置を、前記広告媒体の背面に設ける一方で、前記照明装置の背面側において、非接触情報記憶媒体に対応したリーダライタを、前記広告媒体の正面側から前記非接触情報記憶媒体によって通信可能な程度の距離に設けたことを特徴とする広告パネル。
【請求項２】
前記照明装置は、前記広告媒体の背面に配置されるエッジライト方式の導光板、又はエレクトロルミネッセンス(ＥＬ)方式の発光板を備えることを特徴とする請求項１記載の広告パネル。
【請求項３】
前記照明装置に対して前記広告媒体を密着させることを特徴とする請求項１又は２に記載の広告パネル。
【請求項４】
前記非接触情報記憶媒体は、携帯型情報端末又はカードに内蔵されていることを特徴とする請求項１乃至３のいずれかに記載の広告パネル。
【請求項５】
複数の前記リーダライタが、前記広告媒体の複数の異なる箇所に対応して前記照明装置の背面に装着されることを特徴とする請求項１乃至４のいずれかに記載の広告パネル。
【請求項６】
複数の前記リーダライタは、アンテナ部と制御部とが分離して形成されると共に、複数の前記リーダライタ間で単一の前記制御部を共有するようになっており、
複数の前記アンテナ部が、前記広告媒体の前記複数の異なる箇所に装着されることを特徴とする請求項５に記載の広告パネル。
【発明の詳細な説明】
【技術分野】
【０００１】
本考案は、ポスターや看板等のようなシート状またはパネル状の広告パネルに関し、特に、光源をＬＥＤ、冷陰極管またはＥＬを使用した照明付きの広告媒体にリーダライタを設け、携帯型情報端末に内蔵された非接触情報記憶媒体との情報の読み出しまたは書き込みを行うことができる照明付きの広告パネルに関するものである。
【背景技術】
【０００２】
従来、街を歩いていたり電車に乗っていたりしているときに、気になる商品や催し物等の広告物を見つけたとしても、その広告物から広告内容の詳細を知ることはほどんど不可能であった。そのため、その広告内容について詳細な情報を求めたいときは、販売店に出掛けたり、カタログを取り寄せたり、電話等で問い合わせたりしていた。これに対し、近年のインターネットの普及により、広告内容に関する詳細な情報をインターネット上で簡単に得ることができるようになってはいるが、目的の情報が掲載されているウェブサイトのＵＲＬが解らないと、サーチエンジンを使用して探したり、関連しそうなウェブサイトにアクセスして手掛かりを求めて行かねばならず、意外と手間暇を要する。
【０００３】
このような手間暇を省くために、近年の広告媒体には、広告内容に関する情報を提供しているウェブサイトのＵＲＬやＵＲＬなどを情報として保持する２次元コードが印刷されている場合がある。しかしながら、ＵＲＬは一般的に小さな文字で記載されているために無視されがちであり、また、広告媒体に記載されたＵＲＬを覚えたり書き写したりしておき、後でパソコン等に入力してアクセスするか、或いはその場で携帯型情報端末に入力してアクセスしなければならず、その面倒臭さの故に利用されていないのが実状である。また２次元コードはバーコード読み取り機能付き携帯型情報端末のアプリケーションを起動して２次元コードを読み取らなくてはならず面倒である。
【０００４】
これに対し、近年は広告媒体、特に、ポスターなどにリーダライタを設け、携帯型情報端末に内蔵された非接触情報記憶媒体および非接触情報記憶媒体付きカードとの情報の読み出しまたは書き込みを非接触で行うことができる電波ポスター（大日本印刷株式会社製）をはじめ、ユビキタスポスター、インタラクティブポスターなどが発表されている。
【０００５】
またポスターパネルにもＬＥＤ（Ｌｉｇｈｔ Ｅｍｉｔｔｉｎｇ Ｄｉｏｄｅ）またはＥＬ（エレクトロルミネセンス）光源とする照明付き広告パネルが市販されている。
【発明の概要】
【発明が解決しようとする課題】
【０００６】
そこで、本出願時には未公知であるが、本出願の発明者らの検討によると、図５に示すように、該広告媒体０１の背面に、蛍光灯等の直接光源０２を配置し、これらの間にリーダライタ０３を挿入することが考えられる。しかし、直接光源０２の発光によって、広告媒体０２の上にリーダライタ０３の陰影０４が生じてしまい、広告媒体のデザイン性を損なってしまうという問題があった。また、直接光源０２と広告媒体０１の距離が狭いと、均一的な光面が得られずに光むらが生じる。
【０００７】
従って、照明付き広告パネルにリーダライタを設ける場合リーダライタの陰影が広告媒体へおよぼす影響、またリーダライタと携帯型情報端末に内蔵された非接触情報記憶媒体間の通信距離の問題などがあり、リーダライタが設けられていないのが実状である。
【０００８】
本発明は、携帯型情報端末に内蔵された非接触情報記憶媒体および非接触情報記憶媒体付きカードに対応したリーダライタを内蔵し、デザイン性に優れ、照明付き故に通行人等にインセンティブを与えることのできる広告効果の高い照明付きの広告パネルを提供することを目的としている。
【課題を解決するための手段】
【０００９】
上記課題を解決するために、本発明においては次のような手段を講ずることとした。
【００１０】
すなわち、本発明は、広告媒体側に向かって面状に発光する面発光光源によって前記広告媒体を背面から照明する照明装置を、前記広告媒体の背面に設ける一方で、前記照明装置の背面側において、非接触情報記憶媒体に対応したリーダライタを、前記広告媒体の正面側から前記非接触情報記憶媒体によって通信可能な程度の距離に設けたことを特徴とする広告パネルである。
【００１１】
上記手段によれば、リーダライタを広告媒体と照明装置との間に配置するのではなく、照明装置の背面側に実装したので、照明装置が発光しても、広告媒体にリーダライタの陰影が映り込まない。この結果、外観体裁に優れた照明付きの広告パネルを得ることが可能となる。
【００１２】
このように、照明装置を面発光光源とすると、広告媒体と照明装置を密着させても、輝度のむらが生じないので、よりデザイン性の高い広告パネルを得ることができる。
【００１３】
上記発明において、前記照明装置は、前記広告媒体の背面に配置されるエッジライト方式の導光板、又はエレクトロルミネッセンス(ＥＬ)方式の発光板を備えることを特徴する。なお、エッジライト方式は、光源面と広告媒体を密着させることができるため、光源面である導光板の背面にリーダライタを設けても通信が可能となり、更にリーダライタの陰影が広告媒体に映りこまない。またＥＬライト板（シート）背面にリーダライタを設けることにより、リーダライタの陰影が広告媒体に映りこまない。
【００１４】
上記発明において、前記照明装置は、前記照明装置に対して前記広告媒体を密着させることを特徴とする。
【００１５】
照明装置が、蛍光灯等を広告媒体の直下に配置する直接光源とする場合、広告媒体にこの照明装置を密着させてしまうと、この蛍光灯等の存在が広告媒体にぼんやりと映し出されてしまう。また、蛍光灯は、非接触情報記憶媒体とリーダライタの間の通信を阻害しやすい。そこで、本発明のように、エッジライト方式の導光板の場合は、広告媒体の背面に光源が配置されないので、通信障害が生じにくい。同時に、導光板が面発光するので、広告媒体と密着させても、明るさのムラが発生しない。ＥＬ方式の場合も同様に、ＥＬ自体が面発光するので明るさのムラが生じにくく、また、ＥＬ自体を薄肉構造で構成できることから、通信障害も発生しにくい。
【００１６】
上記発明において、前記非接触情報記憶媒体は、携帯型情報端末又はカード(ＩＣカード)に内蔵されていることを特徴とする。
【００１７】
このようにすると、日常的に携帯している携帯電話等の携帯型情報端末やカードをかざすだけで、様々な情報を入手することが可能になる。
【００１８】
上記発明において、複数の前記リーダライタが、前記広告媒体の複数の異なる箇所に対応して前記照明装置の背面に装着されることを特徴とする。
【００１９】
上記手段によれば、照明装置の背面に複数のリーダライタを実装しても、各リーダライタの陰影が、同一平面の広告媒体に映り込むことがない。また、一つの広告パネルから多数の情報を入手することができるようになる。
【００２０】
上記発明において、複数の前記リーダライタは、アンテナ部と制御部とが分離して形成されると共に、複数の前記リーダライタ間で単一の前記制御部を共有するようになっており、複数の前記アンテナ部が、前記広告媒体の前記複数の異なる箇所に装着されることを特徴とする。
【００２１】
上記手段によれば、一個の制御（回路）部に、複数のアンテナ部をタコ足状態にリード線で結線することで、複数のリーダライタを構成できる。この結果、各リーダライタがコンパクトになるため、広告媒体のアクセスポイントを多く設定することが可能となり、広告デザイン作成の自由度を増すことができる。また、アクセスポイントが多くなっても、アンテナ部を増やすだけで対応できるので、リーダライタ周りの回路構成をシンプルに設計でき、ひいては、安価に製造できるようになる。
【発明の効果】
【００２２】
本発明によれば、エッジライト方式やＥＬライト板（シート）等の光源の背面にリーダライタを設けることにより、該リーダライタの陰影が広告媒体に映りこまないデザイン性に優れた照明付き広告パネルが提供できる。この結果、通常のポスターより照明効果で明るく通行人にインセンティブを与えることができる。また、広告パネルの内部に、携帯型情報端末に内蔵された非接触情報記憶媒体との情報の読み出しまたは書き込みを行うリーダライタを設けていることを、広告媒体を介して明示することにより、この広告媒体は、情報の読み出しまたは書き込みを携帯型情報端末および非接触情報記憶媒体付きカードを通じてオンデマンドに行なうことができることを通行人等に瞬時に判別させることができ、広告主にとっては大きな広告効果をもたらす。
【００２３】
また、本発明では、エッジライト方式およびＥＬの光源等を利用することにより、広告媒体と導光板とを密着した状態でも広告媒体面に光むらが生じず、また、携帯型情報端末に内蔵された非接触情報記憶媒体および非接触情報記憶媒体付きカードとの情報の読み出しまたは書き込みを行うリーダライタとの距離による通信問題も解消できる。さらに、導光板及び反射板の更に背面側にリーダライタを付着させるため、光源の光を、リーダライタがさえぎることがなく広告媒体上に照射できる。この結果、リーダライタの陰影が生じずに、デザイン性に優れ、通常の照明なしポスターに比べてインパクトがあり、通行人等にインセンティブを与えることのできる広告効果の高い照明付きの広告パネルを提供できる。
【図面の簡単な説明】
【００２４】
【図１】本発明の第１実施形態に係る広告パネルを、分解して示した要部外観斜視図である。
【図２】同じく、(ａ)は広告パネルの正面図、(ｂ)は(ａ)のｂ−ｂ線における断面図である。
【図３】第１実施形態の第１変形例に係り、(ａ)は広告パネルの正面図、(ｂ)は(ａ)のｂ−ｂ線における断面図である。
【図４】第１実施形態の第２変形例に係り、(ａ)は広告パネルの正面図、(ｂ)は(ａ)のｂ−ｂ線における断面図である。
【図５】本発明者等の検討過程における広告パネルの概要構成図である。
【発明を実施するための形態】
【００２５】
以下、本発明を実施するための最良の実施形態を順次図面に基づいて説明する。なお、各実施形態を示す図面については、均等部材または均等部分には、これらに付したと同一の符号を付すものとする。
【００２６】
第１実施形態は、図１、図２に示すように、本発明を、エッジライト方式に係る広告パネル１に適用した物である。この広告パネル１は、広告媒体２と、その背面から広告媒体２を照明するために広告媒体の背面に設けた面発光タイプの照明装置３と、照明装置３の背面に付着され、携帯型情報端末の非接触情報記憶媒体からの無線通信による情報を読み書きするリーダライタ４とを具備する。
【００２７】
広告パネル１をより具体的に説明すると、照明装置３は広告パネル２の背面に付着される光透過性の導光板３ａと、導光板３ａの背面に付着され光の反射機能を有する反射板３ｂと、導光板３ａおよび反射板３ｂの両エッジに沿って配置される光源ユニット３ｃとで構成される。
【００２８】
光源ユニット３ｃには、不図示の電源に接続して点灯する多数のＬＥＤ３ｄが導光板３ａの端面に対峙して埋設される。リーダライタ４は反射板３ｂに関して導光板３ａとは反対側の背面に付着される。
【００２９】
上記のリーダライタ４は、ここでは特に図示しないが、アンテナボードに実装されたアンテナ部と、このアンテナ部を制御すると共に、携帯型情報端末と送受信する情報を記憶する制御部とを有する。
【００３０】
上記の広告媒体２には、携帯型情報端末やＩＣカードがかざされ、リーダライタ４と通信を行う。
【００３１】
なお、図１における矢印はＬＥＤ３ｄから発した光の方向を示し、図２における符号６は広告パネルの保持枠を、７は背面を保護する保護板を、８は広告媒体２を保護する透明の保護板をそれぞれ示す。
【００３２】
第１実施形態の広告パネル１によれば、エッジライト方式の光源であるＬＥＤ３ｄから照射された光は導光板３ａの端面から入射した後、導光板３ａを透過して広告媒体２を背面から照射する。このため、導光板３ａが広告媒体２の背面に密着して取り付けた場合であっても、広告媒体２の面に光りのムラを生じることがない。
【００３３】
また、広告媒体２からリーダライタ４に至る距離も極めて短くすることができるため、携帯型情報端末やＩＣカードと、リーダライタ４との間で行われる通信において、情報の読み出しまたは書き込みを円滑に行うことができる。
【００３４】
導光板３ａは、広告媒体２側に光を出射する面発光タイプである。この結果、昼夜を問わず、導光板３ａの背面側に配置されるリーダライタ４のシルエットが完全に隠されるので、広告媒体２のデザイン性を失わない。
【００３５】
更に本広告パネル１では、導光板３ａの背面側に反射板３ｂを設け、この反射板３ｂの背面側にリーダライタ４を付着させているため、リーダライタ４のシルエット(陰影)が広告媒体２上に生じないのでデザイン性に優れる。また、通行人等の利用者にインセンティブを与え、インパクトある広告効果の高い広告パネル１を得ることができる。
【００３６】
なお、上記第１実施形態では、アンテナ部と情報の読み出しおよび書き込みが可能なＩＣチップとを一体に形成したリーダライタ４を一個設けた場合であったが、図３に示す第１変形例のように、第１実施形態と同じ構造のリーダライタ４を、複数個(本変形例では６個)独立して装着する態様にする構成とすることも可能である。これらリーダライタ４には、リーダライタごとに商品購入のための商品情報、地図等のポイント情報などが記憶されている。
【００３７】
また、第１変形例では、各リーダライタ４を独立して設けた態様であったが、この代わりに図４に示す第２変形例の構成にすることも可能である。すなわち、リーダライタ４を、アンテナ部４ａと制御部４ｂとに別々に切り離し、全てのリーダライタ間で共有化する。アンテナ部４ａを制御部４ｂはリード線４ｃにより接続される。
【００３８】
特に本第２変形例のリーダライタ４は、複数（ここでは６個）のアンテナ部４ａを備えており、これらの６個のアンテナ部４ａがぞれぞれリード線４ｃを介して単一の制御部４ｂに接続されている。
【００３９】
この第２変形例によれば、一個の制御部４ｂに複数個のアンテナ部４ａをタコ足状に接続してリーダライタ４を構成できるため、第１変形例と同様に、各アンテナ部４ａにおいて、異なる情報の読み出しおよび書き込み信号を送受信できる。また、安価な広告パネル１を製作できる利点がある。
【００４０】
なお、上記第１実施形態、第１変形例、第２変形例においては、エッジライト方式の導光板３ａを備えた場合を例に挙げて説明したが、勿論これに限定されることはない。好ましくは面発光する照明装置を採用する。例えば、エレクトロルミネッセンス(ＥＬ)方式のシートなど、他の面発光構造の照明装置を採用にすることも可能である。
【００４１】
以上、本実施形態によれば、ＬＥＤを用いた照明装置３の光が、エッジライト方式となる導光板３ａを通じて入光し、広告媒体２を照らす。このエッジライト方式の光源を利用することにより、広告媒体２と導光板３ａとを密着した状態としても、広告媒体２の表面に光むらが生じない。また、携帯型情報端末に内蔵された非接触情報記憶媒体および非接触情報記憶媒体付きカードとの情報の読み出しまたは書き込みを行うリーダライタ４との距離による通信問題も解決される。さらに、導光板３ａ、反射板３ｂの背面にリーダライタ４を付着させるため、光源（ＬＥＤ）の光を、リーダライタ４がさえぎることがなく、広告媒体２上に照射できる。結果、リーダライタ４の陰影が生じずに、デザイン性に優れ、通常の照明なしポスターに比べてインタクトがあり、通行人等にインセンティブを与えることのできる広告効果の高い照明付き広告パネル１となる。
【００４２】
更に、図３に示したように、リーダライタ４を複数個付着させることにより、リーダライタ４毎に、携帯型情報端末に内蔵された非接触情報記憶媒体又は非接触情報記憶媒体付きカードと間において、異なる情報の読み出しまたは書き込みを行うことができる。具体的な活用例として、リーダライタ４毎に個々の商品購入、地図などの各所ポイント情報などが容易に取得できる様になる。リーダライタ４を複数個導光板３ａ背面側に付着させても、光源ユニット３ｃがエッジ（側面）に付いていることで、光源の光をリーダライタ４がさえぎることがない。また、広告媒体２と導光板３ａとが密着した状態であるため、携帯型情報端末に内蔵された非接触情報記憶媒体又は非接触情報記憶媒体付きカードと、リーダライタ４との距離を近づけることが可能となり、通信障害も生じない。
【００４３】
また更に、図４に示したように、複数個のアンテナ部４ａと単一制御回路部４ｂを、背面側に付着させることにより、アンテナ部４ａ毎に、携帯型情報端末に内蔵された非接触情報記憶媒体又は非接触情報記憶媒体付きカードとの間で、異なる情報の読み出しまたは書き込みを行うことができる。この結果、図３のように、複数個のリーダライタ４を設ける場合よりも安価に、リーダライタ付きの広告パネル１を制作することができる。
【産業上の利用可能性】
【００４４】
本発明の利用により、広告媒体にリーダライタの陰影が映りこまない、デザイン性に優れた照明付きの広告パネルが提供できる。通常のポスターより照明効果において明るく、通行人にインセンティブを与えることもできる。また、照明付き広告媒体の内部に、携帯型情報端末に内蔵された非接触情報記憶媒体との情報の読み出しまたは書き込みを行うリーダライタを設けることができるので、これを広告媒体を介して明確に区別できるようにすれば、情報の読み出しまたは書き込みを携帯型情報端末や非接触情報記憶媒体付きカードを通じてオンデマンドに行なうことができる広告パネルであることを通行人等に瞬時に判別させることができる。この結果、広告主にとっては大きな広告効果をもたらすことができる。
【符号の説明】
【００４５】
１      広告パネル
２      広告媒体
３      照明装置
３ａ    導光板（エッジライト方式）
３ｂ    反射板（導光板背面配置）
３ｃ    光源ユニット
３ｄ    ＬＥＤ（光源）
４      リーダライタ
４ａ    アンテナ部
４ｂ    制御部
６      保持枠
７      背面側保護板
８      透明保護板
【図１】
2010140053.tif 000003
【図２】
2010140053.tif 000004
【図３】
2010140053.tif 000005
【図４】
2010140053.tif 000006
【図５】
2010140053.tif 000007